(57)【要約】【課題】異なる複数の通信インターフェースを備え、これを自動的に切替えて通信を行う移動通信端末装置において、静止時・移動時とも安定した接続を実現するとともに、使用者の意図する通信インターフェースを自動で選択できるようにする。【解決手段】移動通信端末装置の位置情報より移動状況を監視し、静止時には通信料が安価で安定した無線ＬＡＮ等の狭範囲の通信の接続を選択し、移動時には広範囲の接続が可能な携帯電話経由の通信の接続を選択するなど複数の物理インターフェース選択の制御を行い、静止時・移動時とも安定した通信を実現する。また位置情報より通信の接続を自動選択するように制御することで、使用者の意図する接続選択を自動で行うことができる。【選択図】　図１
2004072136.tif 000002
【特許請求の範囲】
【請求項１】
外部と通信を行う第一の物理インターフェースと、前記第一とは異なる方式の第二の物理インターフェースと、前記第一と前記第二の物理インターフェースの選択切替えを判定する選択切替判定手段とを有する移動通信端末装置であって、
前記第一と前記第二の物理インターフェースの通信可能性を判定する通信判定手段と、
前記移動通信端末装置の移動速度を判定する移動判定手段を有し、
前記選択切替判定手段は、前記通信判定手段で判定された通信可能性及び前記移動判定手段で判定された移動速度に基づき、前記選択切替えを判定することを特徴とする移動通信端末装置。
【請求項２】
請求項１に記載の移動通信端末装置であって、
前記移動通信端末装置の位置を検出する位置検出手段を有し、
前記選択切替判定手段は、前記通信判定手段で判定された通信可能性、前記移動判定手段で判定された移動速度及び前記位置検出手段で検出された位置に基づき、前記選択切替えを判定することを特徴とする移動通信端末装置。
【請求項３】
請求項１に記載の移動通信端末装置であって、
前記選択切替判定手段は、前記移動判定手段で判定された移動速度が高い方が低い場合よりも、前記物理インターフェースの切替えまでの待ち時間を長くすることを特徴とする移動通信端末装置。
【請求項４】
外部と通信を行う第一の物理インターフェースと、前記第一とは異なる方式の第二の物理インターフェースと、前記第一と前記第二の物理インターフェースの選択切替えを判定する選択切替判定手段とを有する移動通信端末装置であって、
前記第一と前記第二の物理インターフェースの通信可能性を判定する通信判定手段と、
前記移動通信端末装置の位置を検出する位置検出手段を有し、
前記選択切替判定手段は、前記通信判定手段で判定された通信可能性及び前記位置検出手段で検出された位置に基づき、前記選択切替えを判定することを特徴とする移動通信端末装置。
【請求項５】
請求項４に記載の移動通信端末装置であって、
前記位置検出手段で検出された位置及び前記位置で使用した物理インターフェースを記憶するメモリとを有し、
前記選択切替判定手段は、前記通信判定手段で判定された通信可能性、前記位置検出手段で検出された位置並びに前記メモリで記憶された位置及び使用された物理インターフェースに基づき、前記選択切替えを判定することを特徴とする移動通信端末装置。
【請求項６】
請求項４に記載の移動通信端末装置であって、
前記位置検出手段は、前記位置に関する情報を外部から取得することを特徴とする移動通信端末装置。
【請求項７】
請求項１乃至６のいずれかに記載の移動通信端末装置であって、
前記選択切替判定手段の前記第一と前記第二の物理インターフェースの選択切替えの優先順位が、前記移動判定手段で判定された移動速度に応じて複数あることを特徴とする移動通信端末装置。
【請求項８】
請求項１乃至７のいずれかに記載の移動通信端末装置であって、
前記選択切替判定手段の前記第一と前記第二の物理インターフェースの選択切替えの優先順位を設定する優先順位設定手段を有することを特徴とする移動通信端末装置。
【請求項９】
請求項１乃至８のいずれかに記載の移動通信端末装置であって、
使用している前記第一又は前記第二の物理インターフェースを使用者に知らせる出力手段を有することを特徴とする移動通信端末装置。
【請求項１０】
請求項１乃至８のいずれかに記載の移動通信端末装置であって、
前記通信判定手段で判定された通信可能性を使用者に知らせる出力手段を有することを特徴とする移動通信端末装置。
【発明の詳細な説明】
【０００１】
【発明の属する技術分野】
本発明は移動通信端末装置において、特に、複数の異なる通信インターフェースを備える移動通信端末装置の通信制御に関する。
【０００２】
【従来の技術】
従来、移動通信端末装置において、複数の異なる通信インターフェースを備える移動通信端末装置の物理インターフェースを切替える通信制御は、例えば特開２００２−１５２４０７のように、それぞれの通信インターフェースの通信状況によって最適な通信インターフェースを選択して、通信中の適当なタイミングで物理インターフェースの切替え動作を行うことにより実現している。また、特開２００２−１５７１８１のように、通信回線から得られる通信速度や回線混雑情報や通話料金により物理インターフェースの切替え動作を自動に行う等も示されている。
【０００３】
【発明が解決しようとする課題】
従来の方法では、複数の異なる通信インターフェースを備える移動通信端末が、それぞれのインターフェースを使用できる環境を移動する場合、移動中に各インターフェースの通信状況の可／不可や好／不調の順位が逐次入れ替わることが予想され、その結果、頻繁に通信の物理インターフェースの切替えが発生することになり、特に高速で移動する場合には安定性に欠けるという問題がある。また、移動中であれば、通信可能なエリアを出てインターフェースの切替えを余儀なくされることも考えられ、最初から広域で利用できるインターフェースを使用した場合と比べてインターフェースの切替えが多く発生することになり不安定要素が増す。さらに、静止していても通信の物理インターフェースが無線の場合、電波状況の変化に伴い通信状況も刻々変化するので、この場合にも頻繁に物理インターフェースが切替わり、同様の問題が発生する。
【０００４】
その他、この場所ではこの通信の物理インターフェースで使用したいと使用者が考えた場合に、従来の自動選択方法では、他のインターフェースの通信状況が、意図したインターフェースより良好であればそちらを選択してしまうので、手動で切替えなければならず、面倒である。
【０００５】
したがって本発明の目的は移動通信端末の移動状態や位置情報より、移動通信端末の使用状況や使用場所に適した、通信の物理インターフェースを自動選択することにある。
【０００６】
【課題を解決するための手段】
移動通信端末装置の位置情報をＧＰＳ（Ｇｌｏｂａｌ　Ｐｏｓｉｔｉｏｎｉｎｇ　Ｓｙｓｔｅｍ）や携帯電話基地局等より得て、この位置情報より移動速度のある移動中や移動速度０の静止中などの移動状況を判断し、移動状況とそれぞれの通信インターフェースの通信可否より、物理インターフェースの選択を行う。
【０００７】
移動速度の高い高速で移動中の場合には広範囲で接続が可能な携帯電話経由等の物理インターフェースを選択し、局部的に他の物理インターフェースの状況が良くなっても切替えないように制御する。一方、移動速度０の静止・移動速度の低い低速移動中の場合には無線ＬＡＮ（Ｌｏｃａｌ　Ａｒｅａ　Ｎｅｔｗｏｒｋ）やＰＨＳ（Ｐｅｒｓｏｎａｌ　Ｈａｎｄｙ−Ｐｈｏｎｅ　Ｓｙｓｔｅｍ）経由等の狭範囲で安価な物理インターフェースを選択するように制御を行う。
【０００８】
また、位置情報と、そのとき使用した物理インターフェースや端末のそのときの移動状況を記憶してデータベース化しておけば、次回のその場所付近での接続は、記憶した物理インターフェースを自動的に選択するように制御することができ、意図しない物理インターフェースへの接続の回避や、手動切替えの手間を省くことが可能となる。
【０００９】
【発明の実施の形態】
以下、図面に基づいて実施の形態を説明する。図１を用いて本発明の実施の形態にかかる移動通信端末装置の構成の概要を説明する。図１は本発明の移動通信端末装置の一実施例を示す構成図である。
【００１０】
移動通信端末装置１００は、ノートパソコン、携帯電話、ＰＤＡ（Ｐｅｒｓｏｎａｌ　Ｄｉｇｉｔａｌ　Ａｓｓｉｓｔａｎｃｅ）通信機能付きカーナビゲーション端末などの携帯端末であり、外部と接続して通信を行う装置である。物理インターフェース１２０，１３０は、無線ＬＡＮのインターフェースモジュールやＰＨＳの無線インターフェース、携帯電話の無線インターフェースなどが例としてあげられ、各通信回線のネットワーク２００，３００と接続し、外部と移動通信端末装置１００のデータの入出力インターフェース処理を行う。出力部１０１はＬＣＤやスピーカーなどの表示出力・音声出力の装置で、使用者に情報を表示したり、音声を出力したりする。入力部１０２はキーやマイクなどの情報入力装置で、使用者からの情報や指示を入力する。端末データ制御処理部１０３はＣＰＵやマイクロコンピュータＩＣなどから構成され、各通信回線のインターフェース２００，３００から物理インターフェース１２０，１３０と物理インターフェース選択部１０４を経由して入力されるデータの処理を行ったり、移動通信端末装置１００のデータを外部に送信する処理を行ったりする通信アプリケーションの制御や通信制御の処理を行う。また、使用者からの入力情報を処理したり、使用者へ出力する情報を処理したりもする。物理インターフェース選択部１０４は、切替判定部１０８の信号に従い、外部の各通信回線のインターフェース２００，３００に接続する物理インターフェース１２０，１３０の中から、使用するインターフェースを選択して端末データ制御処理部１０３とのデータ送受ができるようにする。通信状態判定部１０５は、各物理インターフェース１２０，１３０と外部ネットワーク２００，３００との通信状態を監視し、外部と通信が行える状態か、通信の安定性を判断する処理を行う。位置検出部１０６は、ＧＰＳなどが例としてあげられ、衛星と直接通信して位置データを得る処理を行ったり、携帯電話の基地局から物理インターフェース１２０，１３０を介して送られてくる位置データの処理などを行い、移動通信端末装置１００の位置情報を得る処理を行う。移動判定部１０７は、位置検出部１０６からの位置情報を監視し、移動通信端末装置１００の移動状況を判断する処理を行う。切替判定部１０８は、端末データ制御処理部１０３からのインターフェース切替指定情報や通信状態判定部１０５からの通信状態情報や移動判定部１０７からの端末移動情報などから使用する物理インターフェースを決定して物理インターフェース選択部１０４に指示する信号を送る処理を行う。
【００１１】
次に、第一の実施例における移動通信端末装置１００の動作について図２〜図６を用いて説明する。
【００１２】
図２は第一の実施例の異なる複数の物理インターフェース１２０，１３０を、具体的に公衆無線ＬＡＮインターフェース１２０と携帯電話インターフェース１３０とした場合の図である。この場合、外部ネットワーク２００，３００はそれぞれ公衆無線ＬＡＮのアクセスポイントを含むネットワーク、携帯電話の基地局経由で繋がるネットワークであり、それらはインターネットのネットワークにも繋がっている。つまりこの移動通信端末装置１００は無線ＬＡＮと携帯電話の異なる２つのインターフェースを持ち、それぞれ接続使用できる端末である。
【００１３】
この端末の使用する環境と制御動作の関係を図３を用いて、まず簡単に述べる。図３は移動通信端末装置１００の使用する環境を表した図である。Ａ１及びＡ２の範囲は無線ＬＡＮの通信できる範囲で、２０１及び２０２はそれぞれのアクセスポイントである。Ｂの範囲は携帯電話で通信できる範囲で、３０１は接続する基地局である。無線ＬＡＮの範囲は最近ホットスポットなどと言われ、狭い範囲であるが通信費が安価で使用できるという特徴を持ち、一方、携帯電話の方は通信費が高価であるが、広い範囲で使用可能であるという特徴を持つ。
【００１４】
まず、移動通信端末装置１００が静止時の場合を考える。例えばＡ１のエリアで（ａ）のように静止して通信を行うとすると、ここでは無線ＬＡＮと携帯電話のどちらの経由でも通信を行うことができる。ここでは安価な無線ＬＡＮアクセスポイント２０１との通信を行いたい。従来の通信状況での切替えだと、無線ＬＡＮアクセスポイント２０１との通信状況が一時的に携帯電話基地局３０１との通信状況よりも悪くなった場合、接続の切替えが発生して不安定になる。そこで、本実施例では静止時は無線ＬＡＮ接続を優先とし、少々通信状態が悪くなっても接続の切替えをしないように切替判定部１０８を制御することによって、通信の物理インターフェースの切替えの発生を防止し、通信の安定性を高くすることができる。
【００１５】
次に、移動通信端末装置１００が移動時の場合を考える。例えば（ｂ）のようにＡ１のエリアからＡ２のエリアに向かって移動しているときに通信を行うとすると、まだＡ１のエリアにいる場合は無線ＬＡＮと携帯電話のどちらの経由でも通信が行える。この場合は、広範囲で使用できる携帯電話基地局３０１との通信が良い。無線ＬＡＮの場合は狭い範囲でしか利用できない為、移動時にはすぐに範囲外に出てしまい、接続の切替えが発生するためである。従来の通信状況での切替えだと、Ａ１のエリアから出るときに無線ＬＡＮから携帯電話へ切替わり、Ａ２のエリアに入るときに再び携帯電話から無線ＬＡＮへの切替えが発生する。そこで、本実施例では、これを回避する為、端末が移動している時にはもともと広い範囲で使用できる携帯電話基地局３００との通信接続である携帯電話での通信を優先に選択し、他方式の接続よりも通信状態が悪くても、広い範囲で使用できる携帯電話経由の接続のまま、切替えをしないように、移動通信端末装置１００の移動速度に基づき、切替判定部１０８を制御する。
【００１６】
次に、各部の動作及び制御シーケンスを説明する。無線ＬＡＮと携帯電話という異なる２つのインターフェースを持つ移動通信端末装置１００が通信を始める場合、図２の入力部１０２よりユーザが通信開始命令やブラウザなどの通信ソフト立ち上げなど、通信開始の信号を端末データ制御処理部１０３に入力する。端末データ制御処理部１０３は物理インターフェース選択部経由のデータ通信の準備をするとともに、切替判定部１０８にユーザからの接続指定や通信アプリケーションソフトでの指定があればその信号を送信する。一方、通信状態判定部１０５は、常に又は端末データ制御処理部１０３がデータ通信の準備を始める時に、物理インターフェース１０２，１０３を介して外部２００，３００との通信状況を監視し、通信の可否や好／不調などを切替判定部１０８に送信する。通信の好／不調などの安定度を示す値は、データ通信時のエラーレートや無線なら電波強度などが考えられる。またもう一方、位置検出部１０６は、常に又は端末データ制御処理部１０３がデータ通信の準備を始める時に、ＧＰＳの衛星や外部の基地局などから端末データ制御処理部経由で得た端末の位置を示す位置情報を移動判定部１０７に送信する。移動判定部１０７は位置情報より移動通信端末装置１００の移動状況を判断し、切替判定部１０８に信号を送信する。移動状況は、位置情報を監視し、変化が無ければ静止中、変化があれば移動中と判断する。また、位置情報と一定時間後の位置情報とを比較して移動速度を示す値を得て、位置の変化が無ければ移動速度が０である静止中、位置の変化が小さければ移動速度の低い低速移動中、変化が大きければ移動速度の高い高速移動中などと判断しても良い。
【００１７】
このようにして得た情報や信号より、切替判定部１０８は図４（ａ）に示すように物理インターフェースの自動切替えを実行する。通信開始（Ｓ４０１）で各情報を集め、まずユーザやアプリケーションからの接続インターフェース指定が無いか判断する（Ｓ４０２）。指定があれば指定の接続インターフェースを選択して（Ｓ４０３）、インターフェース選択切替えを実行（Ｓ４１０）し、通信を始める。高速で移動しているが、無線ＬＡＮを使用したい場合、例えば電車内の無線ＬＡＮを使用するなど、自動選択機能を使用したくないときは、ユーザが接続インターフェースを指定できるようにする。物理インターフェースの接続指定が無い場合は通信状態判定部１０５からの使用可能インターフェース抽出信号（Ｓ４０４）より使用可能インターフェースの有無を判断し（Ｓ４０５）、使用可能なインターフェースが無ければ何回か使用可能インターフェース抽出（Ｓ４０４）を行い、それでもダメなら終了する（Ｓ４０６）。使用可能インターフェース抽出（Ｓ４０４）は、通信状態判定部１０５で常に監視している場合は、通信開始時に使用できなくても後で通信状況が回復する見込み等がわかるので、そのインターフェースを使用可能としても良い。使用可能インターフェースがある場合は、移動判定部１０７からの信号を基に移動通信端末装置１００が現在移動中か静止中かを見て（Ｓ４０７）、静止中であれば、使用可能インターフェースと図４（ｂ）に示す静止時優先度より物理インターフェースを選択する（Ｓ４０８）。静止時優先度は、あらかじめ決めていても、ユーザの設定でも良い。この例では、移動通信端末装置１００が静止時で無線ＬＡＮが使用できる状況であれば無線ＬＡＮを使用し、あえて通信料金の高価な携帯電話経由の通信を行う必要はないため、無線ＬＡＮを優先としている。そして、インターフェース選択切替えを実行し通信を行う（Ｓ４１０）。
【００１８】
また、移動判定部１０７からの信号を基に移動通信端末装置１００が現在移動中か静止中かを見て（Ｓ４０７）、移動時であれば、使用可能インターフェースと図４（ｂ）に示す移動時優先度より物理インターフェースを選択する（Ｓ４０９）。移動時優先度は、あらかじめ決めていても、ユーザの設定でも良い。この例では、移動通信端末装置１００が移動時で携帯電話が使用できる状況であれば携帯電話を使用し、あえて移動中に切れてしまう可能性のある無線ＬＡＮ経由の通信を行う必要はないため、携帯電話経由の接続を優先としている。そして、インターフェース選択切替えを実行し通信を行う（Ｓ４１０）。
【００１９】
通信途中で使用していた物理インターフェースの通信状態が使用不可になった場合は、一定時間回復を待ち、それでも使用不可の場合は接続を切替えるように制御する。移動通信端末装置の通信は、静止状態では比較的安定しているので、物理インターフェース切替え待ち時間を短くし、移動状態では比較的不安定なので、物理インターフェース切替え待ち時間は長くするように制御することが考えられる。こうすることで無用な物理インターフェースの切替え防止と、適切な物理インターフェースの切替えを実現することができる。
【００２０】
また、使用可能な物理インターフェースが２つよりも多い場合でも次のように制御を行えば可能である。図５及び図６は移動通信端末装置１００が、前記の無線ＬＡＮ、携帯電話に加えてＰＨＳ（Ｐｅｒｓｏｎａｌ　Ｈａｎｄｙ−Ｐｈｏｎｅ　Ｓｙｓｔｅｍ）経由での物理接続も可能な場合の構成と制御シーケンスである。ＰＨＳ経由での通信は現在、無線ＬＡＮと比較して通信範囲が広いが通信料金が高価、携帯電話と比較して通信範囲が狭いが安価という特徴をもつ。また、大きく移動する場合は基地局の切替えが多数起こり、あまり高速移動時の通信向きではない。つまり、移動中だが、高速で大きな移動をしない際には有効な選択である。移動通信端末装置１００の基本的な動作は図４の場合と同様で、図６の移動中を判断する（Ｓ４０７）ところまでは一緒である。静止中の場合は使用可能インターフェースと図６（ｂ）に示す静止時優先度より物理インターフェースを選択し（Ｓ４０８）、インターフェースを切替えて通信を行う（Ｓ４１０）。この例では静止時の各通信は安定していると考えて通信料金の安さを優先とし、図６（ｂ）に示すような静止時優先度にした。この優先度をつけることで３つ以上など複数の物理インターフェースの自動選択が可能となる。上述のように、優先度はあらかじめ決めていてもユーザの設定でも良い。移動中の場合には、位置情報及び移動情報よりさらに高速移動中か低速移動中かを判断し（Ｓ４０７−１）、高速移動中は使用可能インターフェースと図６（ｂ）に示す高速移動時優先度より物理インターフェースを選択し（Ｓ４０９−１）、インターフェースを切替えて通信を行う（Ｓ４１０）。また、低速移動中は使用可能インターフェースと図６（ｂ）に示す低速移動時優先度より物理インターフェースを選択し（Ｓ４０９−２）、インターフェースを切替えて通信を行う（Ｓ４１０）。以上のように、移動通信端末装置１００の移動速度などの移動状況により物理インターフェースの優先度を設定することで、移動状況・使用状況に応じた物理インターフェースを複数の物理インターフェースから自動選択することが可能となる。
【００２１】
なお、実施例として無線インターフェースのみであったが、物理インターフェースは無線だけでなく、有線を含んでも良い。また、通信途中や、通信アプリケーション動作途中の物理インターフェースの切替えも、端末データ制御処理部１０３から切替判定部１０８等に切替え可能なタイミングで信号を送信することで可能である。
【００２２】
次に、第二の実施例における移動通信端末装置１００の動作について図７を用いて説明する。図７は第一の実施例とほぼ同様の構成だが、位置検出部が無く、移動判定部１０７のみとなっている。これは、位置の情報を使用しないで、移動通信端末装置１００の振動や加速度を測定する装置を移動判定部１０７に用いて移動通信端末装置１００が静止状態か移動状態かを判断するものである。移動判定部１０７は振動センサーや加速度センサーや基地局からの移動情報などが考えられ、簡単な構成で実現できる。第一の実施例と比べて、静止／移動を判定する部分の構成だけが違い、制御動作及びシーケンスは第一の実施例と同様である。
【００２３】
次に、第三の実施例における移動通信端末装置１００の動作について図８〜図１０を用いて説明する。図８は第三の実施例の構成を示す図である。第一の実施例構成と同じ様な構成だが、さらに、通信時の位置情報、移動状況及びそのとき使用した物理インターフェースを記憶するメモリ部１０９を備える。メモリ部１０９はメモリＩＣやハードディスクなどが考えられる。第三の実施例の動作概要は、通信時の移動通信端末装置１００の位置情報や移動状況を、このメモリにあるデータと照合して、その場所や通信状況における過去の通信設定や外部からの通信可能情報を基に使用する物理インターフェースを選択することである。
【００２４】
動作を説明すると、図８の入力部１０２よりユーザが通信開始命令やブラウザなどの通信ソフト立ち上げなど、通信開始の信号を端末データ制御処理部１０３に入力する。端末データ制御処理部１０３は物理インターフェース選択部経由のデータ通信の準備をするとともに、切替判定部１０８にユーザからの接続指定や通信アプリケーションソフトでの指定があれば信号を送信する。そのほか、メモリ部１０９に記憶している図１０のような位置情報・移動状況・そのとき使用した物理インターフェースなどの情報も切替判定部１０８に送信する。メモリ部に記憶している情報は、過去に行った通信の位置情報・移動状況・物理インターフェースでも良いし、外部から取得した位置情報・移動状況・物理インターフェースでも良い。過去の情報の場合は、過去と同じ物理インターフェースを使用して通信できるように設定できる。外部から取得した場合は、外部の該当するインターフェースが、どこの位置でどういう状況で使用できるという情報が利用できるため、物理インターフェースが容易に設定できる。例えば、列車内の無線ＬＡＮを使用する場合には、列車内に無線ＬＡＮがあるため高速で移動しているが、接続可能範囲の狭いはずの無線ＬＡＮが継続して利用できる。外部の列車内の無線ＬＡＮネットワークの方から、列車の路線上の各位置と高速移動でも使用できるという情報を移動通信端末装置１００のメモリ部１０９に記憶させれば、その位置で高速移動していても無線ＬＡＮが使用できると判断することができ、この物理インターフェースを自動で設定することが容易となる。
【００２５】
その他の、通信状態判定部１０５、位置検出部１０６及び移動判定部１０７は第一の実施例と同様の動作を行い、切替判定部１０８に信号を送信する。このようにして得た情報や信号より、切替判定部１０８は図９（ａ）に示すように物理インターフェースの自動切替えを実行する。
【００２６】
次に、各部の制御シーケンスを説明する。通信開始（Ｓ９０１）で各情報を集め、まずユーザやアプリケーションからの接続インターフェース指定が無いか判断する（Ｓ９０２）。指定があれば指定の接続インターフェースを選択して（Ｓ９０３）、インターフェース選択切替えを実行（Ｓ９１３）し、通信を始める。物理インターフェースの接続指定が無い場合は通信状態判定部１０５からの使用可能インターフェース抽出信号（Ｓ９０４）より使用可能インターフェースの有無を判断し（Ｓ９０５）、使用可能なインターフェースが無ければ何回か使用可能インターフェース抽出（Ｓ９０４）を行い、それでもダメなら終了する（Ｓ９０６）。使用可能インターフェースがある場合は、移動判定部１０７からの位置・移動情報とメモリ部１０９の情報を基に、以前この場所付近で使用したかを参照し（Ｓ９０７）、以前使用していた場合はそのときに使用した物理インターフェースが使用可能であれば（Ｓ９０８）その物理インターフェースを選択し（Ｓ９０９）、インターフェースを切替えて通信を行う（Ｓ９１３）。場所によって以前使用したインターフェースを自動選択できるようにすることで、最初は手動で設定しなければならなかった物理インターフェースでも、次回からはその場所に持っていくだけでその物理インターフェースを自動選択するように制御できる。その場所で使用した過去がメモリされていない場合や、以前使用したインターフェースが使用不可の場合には、移動中かを判断し（Ｓ９１０）、第一の実施例と同様の処理を行う。静止中であれば、使用可能インターフェースと図９（ｂ）に示す静止時優先度より物理インターフェースを選択し（Ｓ９１１）、インターフェースを切替えて通信を行う（Ｓ９１３）。移動時であれば、使用可能インターフェースと図４（ｂ）に示す移動時優先度より物理インターフェースを選択し（Ｓ９１２）、インターフェースを切替えて通信を行う（Ｓ９１３）。
【００２７】
図９のシーケンス例では、メモリ部に記憶される情報は過去の通信情報であるが、上述したように外部から取得した位置情報・移動状況・物理インターフェースでも良い。
【００２８】
なお、図８及び１１のメモリ部は端末データ制御処理部の中に構成されているが、この構成に限定されるものではなく、端末データ制御処理部の外付けに構成されていてもよい。
【００２９】
また、第四の実施例構成として、図１１に示すように、第三の実施例構成から移動判定部１０７が無くした構成で、位置検出部１０６で得られる位置情報による物理インターフェースの自動切替えも可能であり、その場合、図１０の移動状況の項目が無くなり、図９のシーケンスは以前にその場所で使用した物理インターフェースの自動選択のみという動作になる。
【００３０】
そのほか、出力部１０１に、選択した物理インターフェースが何であるかを表示又は音声等で出力することで、複数の物理インターフェースから自動選択した物理インターフェースを使用者に一目で知らせることができ、意図しない接続のままの通信続行や意図しない自動切替えを使用者側で監視できる。選択した物理インターフェースの表示だけでなく、全ての物理インターフェースの通信状態を通信状態判定部１０５より得て表示する方法でも良い。
【００３１】
以上の様にして、異なる複数の通信インターフェースを備え、これを自動的に切替えて通信を行う移動通信端末装置において、静止時・移動時とも安定した接続を実現するとともに、使用者の意図する通信インターフェースをある程度自動で選択できるように制御することが可能となる。
【００３２】
【発明の効果】
異なる複数の通信インターフェースへの接続が可能な移動通信端末装置において、移動通信端末装置の位置情報より移動状況を判断し、移動状況によって通信の物理インターフェースを選択切替えすることで、安定した通信が実現可能となる。また、移動通信端末装置の位置情報より通信の物理インターフェースを選択することで、使用場所による自動接続選択が可能になり、使用者の意図する通信の物理インターフェースに自動的に接続可能となる。
【図面の簡単な説明】
【図１】本発明のシステム構成の例を示す図。
【図２】本発明の第一の実施例におけるシステム構成の一例を示す図。
【図３】本発明の第一の実施例における移動通信端末装置の使用する環境と動作概要を説明する図。
【図４】本発明の第一の実施例における動作シーケンスを示す図。
【図５】本発明の第一の実施例におけるシステム構成の第２の例を示す図。
【図６】本発明の第一の実施例における第２の動作シーケンスを示す図。
【図７】本発明の第二の実施例におけるシステム構成の一例を示す図。
【図８】本発明の第三の実施例におけるシステム構成の一例を示す図。
【図９】本発明の第三の実施例における動作シーケンスを示す図。
【図１０】本発明の第三の実施例におけるメモリ部が記憶するデータの一例を示す図。
【図１１】本発明の第四の実施例におけるシステム構成の一例を示す図。
【符号の説明】
１００…移動通信端末装置，１０１…出力部，１０２…入力部，１０３…端末データ制御処理部，１０４…物理インターフェース選択部，１０５…通信状態判定部，１０６…位置検出部，１０７…移動判定部，１０８…切替判定部，１０９…メモリ部，１２０…（無線ＬＡＮ）物理インターフェース，１３０…（携帯電話）物理インターフェース，１４０…（ＰＨＳ）物理インターフェース，２００…（無線ＬＡＮ）通信回線のネットワーク，２０１…無線ＬＡＮアクセスポイント，２０２…無線ＬＡＮアクセスポイント，３００…（携帯電話）通信回線のネットワーク，３０１…携帯電話基地局，４００…（ＰＨＳ）通信回線のネットワーク
【図１】
2004072136.tif 000003
【図２】
2004072136.tif 000004
【図３】
2004072136.tif 000005
【図４】
2004072136.tif 000006
【図５】
2004072136.tif 000007
【図６】
2004072136.tif 000008
【図７】
2004072136.tif 000009
【図８】
2004072136.tif 000010
【図９】
2004072136.tif 000011
【図１０】
2004072136.tif 000012
【図１１】
2004072136.tif 000013